(57)【要約】【課題】レシートプリンタ機構およびジャーナルプリンタ機構の双方に対する操作性を低下させることなく小型化を実現すること。【解決手段】上側に開口部が設けられ略箱形状をなすハウジング１０１ａ内における正面側にレシートプリンタ機構７１０を設けるとともに背面側にジャーナルプリンタ機構７２０を設け、ジャーナル用紙７０２と比較してオペレーターが取り扱う頻度が高いレシート用紙７０１をオペレーターが手に取りやすいようにした。また、ジャーナルプリンタ機構７２０のカバー１０１ｃにジャーナル用紙７０２への接触を可能とする書き込み用開口部１０７を設けるとともに書き込み用開口部１０７を通過するジャーナル用紙７０２の裏面を支持する書き込み台７２７を設け、ジャーナル用紙７０２をハウジング１０１ａから取り出すことなく当該ジャーナル用紙７０２に記録された情報の確認や修正のための筆記などをおこなうことができるようにした。【選択図】図７
2011093115.tif 000002
【特許請求の範囲】
【請求項１】
上側に開口部が設けられ略箱形状をなすハウジングと、
前記ハウジング内における正面側に設けられ、ロール状に巻回された長尺状のレシート用紙を保持する第１の用紙保持部と前記レシート用紙に対する記録をおこなう第１の記録部と当該第１の記録部を通過したレシート用紙を任意の位置でカットするカッタ機構とを備えたレシートプリンタ機構と、
前記ハウジング内における背面側に設けられ、ロール状に巻回された長尺状のジャーナル用紙を保持する第２の用紙保持部と前記ジャーナル用紙に対する記録をおこなう第２の記録部と当該第２の記録部を通過したジャーナル用紙を巻き取る巻き取り部とを備えたジャーナルプリンタ機構を有するプリンタ装置において、
前記開口部における前記第１の用紙保持部の上方を閉塞することで前記レシート用紙を外部に排出する排出口を前記ハウジングとともに形成する第１の閉塞位置または前記ハウジングに対する前記レシート用紙の着脱を可能とする第１の開放位置に位置付けられる第１のカバーと、
前記開口部における前記第２の用紙保持部の上方を閉塞する第２の閉塞位置または前記ハウジングに対する前記ジャーナル用紙の着脱を可能とする第２の開放位置に位置付けられる第２のカバーと、
前記第２のカバーに設けられ、当該第２のカバーを前記第２の閉塞位置に位置付けた状態で前記ジャーナル用紙への接触を可能とする書き込み用開口部と、
前記第２のカバーの内側に設けられ、前記第２の記録部が前記ジャーナル用紙に対する記録をおこなう第３の閉塞位置と前記ハウジングに対する前記ジャーナル用紙の着脱を可能とする第３の開放位置との間を回動可能に軸支されたジャーナルフレームと、
前記ジャーナルフレームに設けられ、前記ジャーナル用紙を巻き取る巻き取り軸を保持する巻き取り軸保持部と、
前記ジャーナルフレームに設けられ、前記書き込み用開口部を通過するジャーナル用紙の裏面を支持する書き込み台と、
を備えたことを特徴とするプリンタ装置。
【請求項２】
前記ハウジングの正面に、前記カッタ機構を覆う第４の閉塞位置または前記カッタ機構を露出させる第４の開放位置に位置付けられる第３のカバーを備えたことを特徴とする請求項１に記載のプリンタ装置。
【請求項３】
前記第１の記録部は、前記第１のカバーに設けられた第１のプラテンと、前記第１のカバーが前記第１の閉塞位置に位置付けられている状態で前記第１のプラテンに対向する第１の記録ヘッドを備え、
前記第２の記録部は、前記ジャーナルフレームに設けられた第２のプラテンと、前記ジャーナルフレームが前記第３の閉塞位置に位置付けられている状態で前記第２のプラテンに対向する第２の記録ヘッドを備えたことを特徴とする請求項１または２に記載のプリンタ装置。
【請求項４】
前記カッタ機構は、前記第１のカバーに取り付けられた固定刃と、前記ハウジング側に設けられ前記第１のカバーが前記第１の閉塞位置に位置付けられている状態で前記固定刃と対峙するとともに前記固定刃に対して往復動自在に設けられた可動刃を備えたことを特徴とする請求項１〜３のいずれか一つに記載のプリンタ装置。
【請求項５】
前記第１のカバーおよび前記第２のカバーは、ともに、前記第１のカバーおよび前記第２のカバーにおける背面側を回転支点として前記ハウジングに回動可能に軸支され、前記第１のカバーの回転支点は前記第２のカバーよりも前方に位置することを特徴とする請求項１〜４のいずれか一つに記載のプリンタ装置。
【請求項６】
前記第２のカバーは、前記書き込み用開口部を開閉可能に取り付けられた窓部材を備え、前記窓部材は透明な部材で形成されていることを特徴とする請求項１〜５のいずれか一つに記載のプリンタ装置。
【請求項７】
前記第１のカバーおよび前記第２のカバーは、それぞれ、前記第１の閉塞位置および前記第２の閉塞位置に位置付けられている状態で、前記ハウジングの設置面からの高さが前記正面側よりも前記背面側の方が高くなるように前記設置面に対して傾斜していることを特徴とする請求項１〜６のいずれか一つに記載のプリンタ装置。
【請求項８】
前記巻き取り軸は、前記設置面からの高さが、前記第１の閉塞位置に位置付けられた状態の前記第１のカバーと同等位置あるいは前記第１のカバーよりも高い位置に設けられていることを特徴とする請求項７に記載のプリンタ装置。
【請求項９】
前記第２の用紙保持部は、前記設置面からの高さ方向における前記巻き取り軸よりも低い位置において前記ジャーナル用紙を保持することを特徴とする請求項８に記載のプリンタ装置。
【発明の詳細な説明】
【技術分野】
【０００１】
この発明は、レシート記録をおこなうレシートプリンタ機構およびジャーナル記録をおこなうジャーナルプリンタ機構を備えたプリンタ装置に関する。
【背景技術】
【０００２】
従来、レシートを発行するためのレシートプリンタ機構とジャーナル記録をおこなうためのジャーナルプリンタ機構とを備えたプリンタがあった。このようなプリンタは、単一の筐体内にレシートプリンタ機構およびジャーナルプリンタ機構という２つのプリンタ機構を備えているため、従来、双方のプリンタ機構に対する操作性を低下させることなく小型化を実現するための各種の技術があった。
【０００３】
具体的には、従来、たとえば各々が上部ハウジングを備えたレシートプリンタとジャーナルプリンタを、ジャーナルプリンタがレシートプリンタよりも後方に配置されるように直列に配置した状態で下部ハウジングに搭載したプリンタにおいて、レシートプリンタ用の上部ハウジングおよびジャーナルプリンタ用の上部ハウジングをともに下部ハウジングに対しレシートプリンタと反対側となるジャーナルプリンタの後方を中心に旋回するように取りつけるようにした技術があった（たとえば、下記特許文献１を参照。）。
【０００４】
また、具体的には、従来、たとえば少なくとも対向側に配置される第１および第２の面ならびに第１および第２の面を結ぶ第３の面を有する筐体を備え、第１の面の内側にジャーナル用のロール紙ホルダーと巻取りスプールを並んで配置し、これらの後部における第３の面の内側にレシート用のロール紙ホルダーを配置し、ジャーナル用のロール紙ホルダーから引き出され印刷される用紙を第１の面に形成された視認窓で確認でき、レシート用のロール紙ホルダーから引き出され印刷される用紙を第３の面に形成された排出口から排出するようにした技術があった（たとえば、下記特許文献２を参照。）。
【０００５】
また、具体的には、従来、たとえば先端にプラテンや紙送りローラと所定の開口部とを備えた開閉フレームが本体フレームに回転可能な状態で取り付けられ、記録紙を巻き取る巻取り軸が本体フレーム側に設けられた支持部に装着され、巻取り軸と干渉することなく開閉フレームの開閉をおこなうことを可能とするとともに、記録紙搬送路などを開放することにより簡単に記録紙ロールや巻取り軸の交換を可能とした技術があった（たとえば、下記特許文献３を参照。）。
【０００６】
また、具体的には、従来、たとえばプリンタの前方から順番にレシート印刷部、レシート印刷用のロール紙の収納部、ジャーナル印刷部、ジャーナル印刷用のロール紙の収納部およびジャーナル印刷済の用紙を巻き取る巻取リールの収納部を一列に配置したプリンタにおいて、印刷後のジャーナル紙の搬送経路の一部がプリンタの外部から目視可能とするようにした技術があった（たとえば、下記特許文献４を参照。）。
【０００７】
特許文献４に記載された技術においては、対向配置されたプラテンローラおよびサーマルヘッド基板によってジャーナル印刷部を構成し、レシート印刷部内に搬送されたレシート印刷用のロール紙およびジャーナル印刷部内に搬送されたジャーナル印刷用のロール紙が取り除かれた場合に、ジャーナル印刷部におけるプラテンローラとサーマルヘッド基板との接触を開放できるように構成されていることが開示されている。
【先行技術文献】
【特許文献】
【０００８】
【特許文献１】特許第３３２９１７４号公報
【特許文献２】特許第３３３４７０４号公報
【特許文献３】特許第３８６１８８４号公報
【特許文献４】特許第４１２６５０６号公報
【発明の概要】
【発明が解決しようとする課題】
【０００９】
しかしながら、上述した従来の技術は、いずれも、レシートプリンタ機構およびジャーナルプリンタ機構の双方に対する操作性を低下させることなく、プリンタ装置全体の小型化を実現することが困難であるという問題があった。
【００１０】
この発明は、上述した従来技術による問題点を解消するため、レシートプリンタ機構およびジャーナルプリンタ機構の双方に対する操作性を低下させることなく小型化を実現することができるプリンタ装置を提供することを目的とする。
【課題を解決するための手段】
【００１１】
上述した課題を解決し、目的を達成するため、この発明にかかるプリンタ装置は、上側に開口部が設けられ略箱形状をなすハウジングと、前記ハウジング内における正面側に設けられ、ロール状に巻回された長尺状のレシート用紙を保持する第１の用紙保持部と前記レシート用紙に対する記録をおこなう第１の記録部と当該第１の記録部を通過したレシート用紙を任意の位置でカットするカッタ機構とを備えたレシートプリンタ機構と、前記ハウジング内における背面側に設けられ、ロール状に巻回された長尺状のジャーナル用紙を保持する第２の用紙保持部と前記ジャーナル用紙に対する記録をおこなう第２の記録部と当該第２の記録部を通過したジャーナル用紙を巻き取る巻き取り部とを備えたジャーナルプリンタ機構を有するプリンタ装置において、前記開口部における前記第１の用紙保持部の上方を閉塞することで前記レシート用紙を外部に排出する排出口を前記ハウジングとともに形成する第１の閉塞位置または前記ハウジングに対する前記レシート用紙の着脱を可能とする第１の開放位置に位置付けられる第１のカバーと、前記開口部における前記第２の用紙保持部の上方を閉塞する第２の閉塞位置または前記ハウジングに対する前記ジャーナル用紙の着脱を可能とする第２の開放位置に位置付けられる第２のカバーと、前記第２のカバーに設けられ、当該第２のカバーを前記第２の閉塞位置に位置付けた状態で前記ジャーナル用紙への接触を可能とする書き込み用開口部と、前記第２のカバーの内側に設けられ、前記第２の記録部が前記ジャーナル用紙に対する記録をおこなう第３の閉塞位置と前記ハウジングに対する前記ジャーナル用紙の着脱を可能とする第３の開放位置との間を回動可能に軸支されたジャーナルフレームと、前記ジャーナルフレームに設けられ、前記ジャーナル用紙を巻き取る巻き取り軸を保持する巻き取り軸保持部と、前記ジャーナルフレームに設けられ、前記書き込み用開口部を通過するジャーナル用紙の裏面を支持する書き込み台と、を備えたことを特徴とする。
【００１２】
この発明によれば、レシート用紙を排出するレシートプリンタ機構がジャーナルプリンタ機構よりも正面側に設けられているため、ジャーナル用紙と比較してオペレーターが取り扱う頻度が高いレシート用紙をオペレーターが手に取りやすい。
【００１３】
また、この発明によれば、第２のカバーに書き込み用開口部が設けられているため、ジャーナル用紙をハウジングから取り出すことなく当該ジャーナル用紙に記録された情報の確認や修正のための筆記などをおこなうことができる。
【００１４】
さらに、この発明によれば、第１のカバーおよび第２のカバーが開口部を覆うように設けられているため、レシート用紙およびジャーナル用紙のいずれの交換作業においてもハウジングに対して同一方向から作業をおこなうことができ、プリンタ装置の設置に際して交換作業のために確保しておくべき上方の空間を小さくすることができる。
【００１５】
同様に、この発明によれば、用紙（レシート用紙あるいはジャーナル用紙）の交換に際しては、第１のカバーおよび第２のカバーのうち該当するカバーのみを開放することで、交換対象となる用紙（レシート用紙あるいはジャーナル用紙）以外の用紙（ジャーナル用紙あるいはレシート用紙）に不用意に接触することを防止するとともに、交換作業位置を正しく案内し、用紙の交換作業の容易化を図ることができる。
【００１６】
このように、この発明にかかるプリンタ装置によれば、レシートプリンタ機構およびジャーナルプリンタ機構をオペレーターに対して手前側から奥側へ並べて配置することによって２つのプリンタ機構を備えたプリンタ装置の幅方向の寸法増大を抑えるとともに、２つのプリンタ機構の双方に対して容易かつ確実にアクセスすることができる。
【００１７】
また、この発明にかかるプリンタ装置は、上記の発明において、前記ハウジングの正面に、前記カッタ機構を覆う第４の閉塞位置または前記カッタ機構を露出させる第４の開放位置に位置付けられる第３のカバーを備えたことを特徴とする。
【００１８】
この発明によれば、第３のカバーを第４の開放位置に位置付ける、すなわち第３のカバーを開くだけで、カッタ機構にアクセスする（カッタ機構に対する操作をおこなう）ことができる。
【００１９】
また、この発明にかかるプリンタ装置は、上記の発明において、前記第１の記録部が、前記第１のカバーに設けられた第１のプラテンと、前記第１のカバーが前記第１の閉塞位置に位置付けられている状態で前記第１のプラテンに対向する第１の記録ヘッドを備え、前記第２の記録部が、前記ジャーナルフレームに設けられた第２のプラテンと、前記ジャーナルフレームが前記第３の閉塞位置に位置付けられている状態で前記第２のプラテンに対向する第２の記録ヘッドを備えたことを特徴とする。
【００２０】
この発明によれば、第１のカバーを第１の開放位置に位置付ける、すなわち第１のカバーを開くだけで、第１の記録ヘッドから第１のプラテンを離間させることができる。
【００２１】
また、この発明によれば、第２のカバーを第２の開放位置に位置付ける、すなわち第２のカバーを開いた後にジャーナルフレームを開くだけで、第２の記録ヘッドから第２のプラテンを離間させることができる。
【００２２】
また、この発明にかかるプリンタ装置は、上記の発明において、前記カッタ機構が、前記第１のカバーに取り付けられた固定刃と、前記ハウジング側に設けられ前記第１のカバーが前記第１の閉塞位置に位置付けられている状態で前記固定刃と対峙するとともに前記固定刃に対して往復動自在に設けられた可動刃を備えたことを特徴とする。
【００２３】
この発明によれば、第１のカバーを第１の開放位置に位置付ける、すなわち第１のカバーを開くだけで、固定刃と可動刃とを分離させることができる。
【００２４】
また、この発明にかかるプリンタ装置は、上記の発明において、前記第１のカバーおよび前記第２のカバーが、ともに、前記第１のカバーおよび前記第２のカバーにおける背面側を回転支点として前記ハウジングに回動可能に軸支され、前記第１のカバーの回転支点は前記第２のカバーよりも前方に位置することを特徴とする。
【００２５】
この発明によれば、第１のカバーおよび第２のカバーがともに後部を回転支点としてハウジングに回動可能に軸支されるように設けられているため、レシート用紙およびジャーナル用紙のいずれの交換作業においてもハウジングに対して同一方向から作業をおこなうことができ、プリンタ装置の設置に際して交換作業のために確保しておくべき上方の空間を小さくすることができる。
【００２６】
また、この発明にかかるプリンタ装置は、上記の発明において、前記第２のカバーが前記書き込み用開口部を開閉可能に取り付けられた窓部材を備え、前記窓部材は透明な部材で形成されていることを特徴とする。
【００２７】
この発明によれば、ジャーナル用紙に書き込みをおこなう際には窓部材を開け、書き込みをおこなう必要がないときは窓部材を閉めた状態とすることができる。
【００２８】
また、この発明によれば、窓部材が透明な材料で形成されているので、窓部材を閉めた状態でもジャーナル用紙の状態を視認することができる。
【００２９】
また、この発明にかかるプリンタ装置は、上記の発明において、前記第１のカバーおよび前記第２のカバーが、それぞれ、前記第１の閉塞位置および前記第２の閉塞位置に位置付けられている状態で、前記ハウジングの設置面からの高さが前記正面側よりも前記背面側の方が高くなるように前記設置面に対して傾斜していることを特徴とする。
【００３０】
この発明によれば、レシートプリンタよりも背面側にあるジャーナルプリンタの視認性を確保することができる。
【００３１】
また、この発明にかかるプリンタ装置は、上記の発明において、前記巻き取り軸が、前記設置面からの高さが、前記第１の閉塞位置に位置付けられた状態の前記第１のカバーと同等位置あるいは前記第１のカバーよりも高い位置に設けられていることを特徴とする。
【００３２】
この発明によれば、第２のカバーを第２の開放位置に位置付けた状態においては、巻き取り軸に巻き取られたジャーナル用紙が、第１の閉塞位置に位置付けられた状態の第１のカバーよりもハウジングの外側に飛び出した状態となる。
【００３３】
また、この発明にかかるプリンタ装置は、上記の発明において、前記第２の用紙保持部が、前記設置面からの高さ方向における前記巻き取り軸よりも低い位置において前記ジャーナル用紙を保持することを特徴とする。
【００３４】
この発明によれば、ハウジング内の背面側において、未記録のジャーナル用紙と巻き取られたジャーナル用紙とがハウジングの設置面からの高さ方向に沿って略並列した状態となるため、未記録のジャーナル用紙と記録済みの巻き取られたジャーナル用紙とを保持するためにレシートプリンタ機構よりも大型となるジャーナルプリンタ機構を備えたプリンタ装置の、レシートプリンタ機構とジャーナルプリンタ機構との配列方向における大型化を抑制することができる。
【発明の効果】
【００３５】
この発明にかかるプリンタ装置によれば、レシートプリンタ機構およびジャーナルプリンタ機構の２つのプリンタ機構を備えたプリンタ装置の幅方向の寸法増大を抑えるとともに、２つのプリンタ機構の双方に対して容易かつ確実にアクセスすることができるので、レシートプリンタ機構およびジャーナルプリンタ機構の双方に対する操作性を低下させることなく小型化を実現することができるという効果を奏する。
【図面の簡単な説明】
【００３６】
【図１】この発明にかかる実施の形態のプリンタ装置を示す説明図（その１）である。
【図２】この発明にかかる実施の形態のプリンタ装置を示す説明図（その２）である。
【図３】この発明にかかる実施の形態のプリンタ装置を示す説明図（その３）である。
【図４】この発明にかかる実施の形態のプリンタ装置を示す説明図（その４）である。
【図５】この発明にかかる実施の形態のプリンタ装置を示す説明図（その５）である。
【図６】この発明にかかる実施の形態のプリンタ装置を示す説明図（その６）である。
【図７】この発明にかかる実施の形態のプリンタ装置を示す説明図（その７）である。
【図８】この発明にかかる実施の形態のプリンタ装置を示す説明図（その８）である。
【図９】この発明にかかる実施の形態のプリンタ装置を示す説明図（その９）である。
【図１０】この発明にかかる実施の形態のプリンタ装置を示す説明図（その１０）である。
【図１１】この発明にかかる実施の形態のプリンタ装置を示す説明図（その１１）である。
【図１２】この発明にかかる実施の形態のプリンタ装置を示す説明図（その１２）である。
【図１３】この発明にかかる実施の形態のプリンタ装置を示す説明図（その１３）である。
【図１４】この発明にかかる実施の形態のプリンタ装置を示す説明図（その１４）である。
【図１５】この発明にかかる実施の形態のプリンタ装置を示す説明図（その１５）である。
【図１６】この発明にかかる実施の形態のプリンタ装置を示す説明図（その１６）である。
【図１７】この発明にかかる実施の形態のプリンタ装置を示す説明図（その１７）である。
【図１８】この発明にかかる実施の形態のプリンタ装置を示す説明図（その１８）である。
【発明を実施するための形態】
【００３７】
以下に添付図面を参照して、この発明にかかるプリンタ装置の好適な実施の形態を詳細に説明する。
【００３８】
まず、この発明にかかる実施の形態のプリンタ装置の構成について説明する。図１、図２、図３、図４、図５、図６、図７および図８は、この発明にかかる実施の形態のプリンタ装置を示す説明図である。
【００３９】
図１においては、この発明にかかる実施の形態のプリンタ装置を斜め上方から見た状態を示している。図２においては、この発明にかかる実施の形態のプリンタ装置を正面から見た状態を示している。図３においては、この発明にかかる実施の形態のプリンタ装置を、当該プリンタ装置の正面に正対した場合に右側となる側（右側方）から見た状態を示している。図４においては、この発明にかかる実施の形態のプリンタ装置を、当該プリンタの正面に正対した場合に左側となる側（左側方）から見た状態を示している。
【００４０】
図５においては、この発明にかかる実施の形態のプリンタ装置を上方（図２における紙面上側）から見た状態を示している。図６においては、この発明にかかる実施の形態のプリンタ装置を下方（図２における紙面下側）から見た状態を示している。図７においては、図２におけるＥ−Ｅ断面を、プリンタ装置１００の正面に正対した場合に右側となる側（右側方）から見た状態を示している。図８においては、図７の一部を拡大して示している。
【００４１】
図１、図２、図３、図４、図５、図６、図７および図８において、この発明にかかる実施の形態のプリンタ装置１００は、略長方体形状をなすケーシング１０１を備えている。ケーシング１０１の正面側には、操作部１０２が設けられている。この実施の形態においては、プリンタ装置１００を設置面に設置した状態において、オペレーターに対して手前側を正面側とし、オペレーターに対して奥側を背面（後面）側とする。
【００４２】
操作部１０２は、プリンタ装置１００に対する各種の操作を受け付ける操作キー、プリンタ装置１００の状態を示すＬＥＤランプなどを備えている。また、ケーシング１０１の正面には、プリンタ装置１００の電源のＯＮ／ＯＦＦを切り替える電源スイッチ１０３が設けられている。
【００４３】
ケーシング１０１は、上方を開放する開口部を備え略箱形状をなすハウジング１０１ａと、ハウジング１０１ａにおける開口部を開放可能に閉塞する第１のカバー１０１ｂおよび第２のカバー１０１ｃと、を備えている。第１のカバー１０１ｂは、第２のカバー１０１ｃよりもハウジング１０１ａにおける正面側に設けられている。
【００４４】
第１のカバー１０１ｂは、ハウジング１０１ａに対して回動可能に連結されている。第１のカバー１０１ｂは、ハウジング１０１ａに対する連結位置を支点として、開口部における正面側の一部を閉塞する第１の閉塞位置（たとえば図１を参照）と、当該正面側の一部を開放する第１の開放位置（たとえば図９を参照）と、の間でハウジング１０１ａに対して回動可能とされている。
【００４５】
第１のカバー１０１ｂは、第１のカバー１０１ｂの回動支点が第２のカバー１０１ｃよりも前方（正面側）に位置する状態でハウジング１０１ａに連結されている。これにより、第１のカバー１０１ｂと第２のカバー１０１ｃとをそれぞれ独立して開閉することができる。
【００４６】
具体的には、たとえば第１のカバー１０１ｂ（あるいは第２のカバー１０１ｃ）が開放されている場合には第２のカバー１０１ｃ（あるいは第１のカバー１０１ｂ）の開閉ができないなどのように、いずれか一方のカバー（第１のカバー１０１ｂあるいは第２のカバー１０１ｃ）の状態によって他方のカバー（第２のカバー１０１ｃあるいは第１のカバー１０１ｂ）の開閉が制限されることを防止することができ、プリンタ装置１００に対するメンテナンスなどの作業に際する高い作業性を確保することができる。
【００４７】
また、第１のカバー１０１ｂは、第１の閉塞位置に位置付けられている状態において、第３のカバー１０１ｄとともに排出口１０４を形成する。第３のカバー１０１ｄは、ハウジング１０１ａに設けられている。排出口１０４は、ケーシング１０１内側とケーシング１０１の外側とを連通し、ケーシング１０１内に収容されているレシート用紙７０１をケーシング１０１の外部に排出する。
【００４８】
レシート用紙７０１は、感熱発色性を備えた記録媒体であって、長尺状をなしている。ハウジング１０１ａ内におけるレシート用紙７０１は、ロール状に巻回された状態で収容されている。レシート用紙７０１は、第１のカバー１０１ｂが第１の開放位置に位置付けられている状態において、ハウジング１０１ａに対して着脱可能とされる。
【００４９】
また、第１のカバー１０１ｂは、磁性部材１０５を備えている。磁性部材１０５は、軟磁性体金属材料からなる板形状をした部材で、第１のカバー１０１ｂにおける外側の上面に設けられている。磁性部材１０５には、マグネットなどを吸着させることができる。このため、たとえば１００００円紙幣、５０００円紙幣、２０００円紙幣および１０００円紙幣などの紙幣を磁性部材１０５に重ね、紙幣が重ねられた状態の磁性部材１０５にマグネットを吸着させることによって、磁性部材１０５とマグネットとによって紙幣を固定することができる。これにより、現金決済における金銭授受に際して、顧客から受け取った紙幣を、オペレーターが視認しやすい第１のカバー１０１ｂの上面に仮保持することができる。
【００５０】
第２のカバー１０１ｃは、ハウジング１０１ａに対して回動可能に連結されている。第２のカバー１０１ｃは、ハウジング１０１ａに対する連結位置を支点として、開口部における背面側の一部分を閉塞する第２の閉塞位置（たとえば図１を参照）と、当該背面側の一部を開放する第２の開放位置（たとえば図９を参照）と、の間でハウジング１０１ａに対して回動可能とされている。ハウジング１０１ａの開口部は、第１のカバー１０１ｂが第１の閉塞位置に位置付けられるとともに第２のカバー１０１ｃが第２の閉塞位置に位置付けられている状態において閉塞される。
【００５１】
第２のカバー１０１ｃは、第２の開放位置に位置付けられている状態において、ハウジング１０１ａに対するジャーナル用紙７０２の着脱を可能とする。ジャーナル用紙７０２は、感熱発色性を備えた記録媒体であって、長尺状をなしている。ハウジング１０１ａ内におけるジャーナル用紙７０２は、ロール状に巻回された状態で収容されている。
【００５２】
ジャーナル用紙７０２は、ハウジング１０１ａ内において、レシート用紙７０１よりも背面側に収容されている。また、記録がなされる前のジャーナル用紙７０２は、鉛直方向において、レシート用紙７０１よりも下側（プリンタ装置１００の設置面側）に保持されている。具体的には、記録がなされる前のジャーナル用紙７０２は、当該ジャーナル用紙７０２の下端位置が、レシート用紙７０１の下端位置よりも下側（プリンタ装置１００の設置面側）となるように保持されている。
【００５３】
ハウジング１０１ａ内には、レシートプリンタ機構７１０とジャーナルプリンタ機構７２０とが設けられている。レシートプリンタ機構７１０は、ハウジング１０１ａ内において、ジャーナルプリンタ機構７２０よりも正面側に設けられている。レシートプリンタ機構７１０は、第１の用紙保持部７１１と第１の記録部７１２とカッタ機構７１３とを備えている。
【００５４】
第１の用紙保持部７１１は、ロール状に巻回された状態のレシート用紙７０１を保持する。第１の用紙保持部７１１は、ロール状に巻回された状態のレシート用紙７０１を、鉛直方向下側から支える曲面部を備えている。ロール状に巻回された状態のレシート用紙７０１は、外周側から引き出されながら消費される。レシート用紙７０１は、消費されるにともない、徐々に外径寸法を小さくしながら、自重によって第１の用紙保持部７１１が備えた曲面部の下端に収まるように移動する。
【００５５】
第１の用紙保持部７１１は、第１の用紙保持部７１１におけるレシート用紙７０１の残量を検出するレシート残量検出機構を備えていてもよい。レシート残量検出機構は、たとえば光電センサを用いて実現することができる。レシート残量検出機構については、公知の技術を用いて容易に実現可能であるため説明を省略する。
【００５６】
第１の記録部７１２は、第１のプラテン（図９における符号９０１を参照）と第１の記録ヘッド７１４とを備えている。第１のプラテン９０１は、第１のカバー１０１ｂに設けられている。第１の記録ヘッド７１４は、ハウジング１０１ａ側に設けられており、第１のカバー１０１ｂが第１の閉塞位置に位置付けられている状態で第１のプラテン９０１に対向する。第１の記録部７１２は、第１の記録ヘッド７１４と第１のプラテン９０１とが対向している状態において、第１の記録ヘッド７１４と第１のプラテン９０１との間に搬送されたレシート用紙７０１に対して記録をおこなう。
【００５７】
この実施の形態において、第１の記録ヘッド７１４は、サーマル方式の記録をおこなう。第１の記録ヘッド７１４は、たとえばレシート用紙７０１の幅方向にライン状に配列された複数の発熱素子を備え、各発熱素子に対して選択的に通電し、各発熱素子を選択的に発熱させることによって文字、記号、所定のロゴマーク、その他の画像などの記録をおこなう。サーマル方式の記録をおこなう第１の記録ヘッド７１４および当該第１の記録ヘッド７１４の制御方法については、公知の各種技術を用いて容易に実現可能であるため説明を省略する。
【００５８】
第１の記録部７１２は、固形インクを塗布したインクリボンをサーマル方式のプリントヘッドによって加熱することによって昇華させたインクを、レシート用紙７０１に転写させる熱昇華方式の記録をおこなうものであってもよい。また、第１の記録ヘッド７１４は、サーマル方式の記録に代えて、他の記録方式によって記録をおこなうものであってもよい。
【００５９】
具体的には、第１の記録ヘッド７１４は、たとえば感圧発色性を備えたレシート用紙７０１に対して記録をおこなうインパクトドット記録方式により記録をおこなうものとすることができる。この場合、レシート用紙７０１と第１の記録ヘッド７１４との間にインクリボンを介在させ、インクリボンの色層をレシート用紙７０１に転写することによって記録をおこなうものであってもよい。
【００６０】
第１のプラテン９０１は、レシート用紙７０１の幅方向（図７における紙面表裏方向）を軸心方向とする略円柱形状をなす。第１のプラテン９０１の軸の一端には、図示を省略するギアが取り付けられている。このギアは、ハウジング１０１ａ側に設けられた図示を省略する第１のプラテン９０１用のモータの駆動力が伝達されることによって回転する。第１のプラテン９０１は、第１のプラテン９０１用のモータの駆動力が伝達されるギアの回転にともなって回転する。
【００６１】
第１のプラテン９０１は、第１の用紙保持部７１１から排出口１０４に搬送されるレシート用紙７０１を間にして第１の記録ヘッド７１４に対向し、レシート用紙７０１を当該レシート用紙７０１の裏面（記録面とは反対側の面）側から支持する。また、第１のプラテン９０１は、軸心回りに回転することによって、記録がなされたレシート用紙７０１を、第１の用紙保持部７１１側から排出口１０４側へ搬送する。
【００６２】
カッタ機構７１３は、位置が固定された固定刃８０１と、第１の用紙保持部７１１から排出口１０４に搬送されるレシート用紙７０１を間にして固定刃８０１に対峙する位置に設けられた可動刃８０２と、を備えている。固定刃８０１は、第１のカバー１０１ｂに設けられている。これにより、固定刃８０１は、第１のカバー１０１ｂが第１の開放位置に位置付けられている状態においては可動刃８０２から離間する。
【００６３】
可動刃８０２は、第１のカバー１０１ｂが第１の閉塞位置に位置付けられている状態において、固定刃８０１と対峙するとともに、固定刃８０１に対して往復動自在に設けられている。可動刃８０２は、往復動する際に、自身の記録媒体搬送方向における上流側の面を、固定刃８０１の記録媒体搬送方向における下流側の面に擦りつけるようにして摺動する。
【００６４】
これにより、可動刃８０２は、当該可動刃８０２の移動方向が往動方向から復動方向に変化する際に、レシート用紙７０１の搬送方向（第１の用紙保持部７１１から排出口１０４に向かう方向）において、固定刃８０１の下流側と重畳する。可動刃８０２は、往復動する際に、上記のように摺動することによって、固定刃８０１との間に挿入されたレシート用紙７０１を、当該固定刃８０１と共働して切断する。これにより、第１の記録部７１２において記録がなされたレシート用紙７０１を、カッタ機構７１３によって任意の長さでカットすることができる。
【００６５】
可動刃８０２は、可動刃駆動用のモータ８０３の駆動力が伝達されることによって往復動する。可動刃８０２および可動刃駆動用のモータ８０３は、可動刃８０２を収納する収納部８０４などとともにユニット化され、可動刃駆動ユニット８０５を構成している。可動刃駆動ユニット８０５における収納部８０４は、たとえば、可動刃８０２の突出を許容する開口を備え、可動刃８０２を収納可能な空間を形成する略箱状の部材によって実現することができる。
【００６６】
可動刃駆動ユニット８０５には、可動刃駆動用のノブや軸（いずれも図示を省略する）が設けられている。可動刃駆動用のノブや軸は、オペレーターなどによって外部から操作された場合に回転し、回転方向に応じて可動刃８０２を往動あるいは復動させる。可動刃駆動用のノブや軸は、たとえば、固定刃８０１と可動刃８０２との間においてレシート用紙７０１が詰まることによって切断動作が停止して以降の記録動作の継続が不可能な状態、いわゆるカッタジャムが発生した場合に操作される。
【００６７】
可動刃駆動ユニット８０５は、ハウジング１０１ａ側（ハウジング１０１ａあるいはハウジング１０１ａ内に収容された本体フレームなど）に設けられている。また、可動刃駆動ユニット８０５は、ハウジング１０１ａ側に対して、取り外し可能（着脱可能）に設けられている。これにより、可動刃８０２が摩耗した場合や可動刃駆動用のモータ８０３などの機構部が劣化した場合は、可動刃駆動ユニット８０５を交換することによって、可動刃８０２および可動刃駆動用のモータ８０３を容易に交換することができる。
【００６８】
カッタ機構７１３は、レシート用紙７０１を切断した後、固定刃８０１から離反する方向に可動刃８０２を移動させ、固定刃８０１と可動刃８０２との間に隙間を形成する。これにより、レシートプリンタ機構７１０における次回の記録が可能な状態とされる。上記の第３のカバー１０１ｄは、第１のカバー１０１ｂよりもハウジング１０１ａにおける正面側に設けられている。また、第３のカバー１０１ｄは、ハウジング１０１ａに対して回動可能に連結されている。
【００６９】
第３のカバー１０１ｄは、ハウジング１０１ａに対する連結位置を支点として、可動刃駆動ユニット８０５を覆う第４の閉塞位置と、カッタ機構７１３を露出させる第４の開放位置との間で回動可能とされている。第３のカバー１０１ｄが第４の開放位置に位置付けられた状態においては、可動刃駆動ユニット８０５がハウジング１０１ａの外部に対して開放される。
【００７０】
上述した可動刃駆動用のノブや軸は、第３のカバー１０１ｄを第４の開放位置に位置付けた状態において操作が可能となる。可動刃駆動ユニット８０５は、第３のカバー１０１ｄが第４の開放位置に位置付けられた状態において、ハウジング１０１ａに対して脱着することが可能とされる。
【００７１】
第３のカバー１０１ｄは、ハウジング１０１ａの設置面方向に向かって凹んだ凹部１０６を備えている。凹部１０６は、凹部１０６の深さが正面側ほど深くなる形状とされている（図８を参照）。たとえば可動刃駆動ユニット８０５の交換作業に際しては、オペレーターの手指を凹部１０６に引っかけることによって、閉塞位置に位置付けられている第３のカバー１０１ｄを容易に開放位置に位置付け、可動刃駆動ユニット８０５を露出させることができる。
【００７２】
また、凹部１０６は、たとえば５００円硬貨、１００円硬貨、５０円硬貨、１０円硬貨、５円硬貨および１円硬貨などのコイン類を保持する受け皿として機能する。これにより、現金決済における金銭授受に際して、顧客から受け取ったコイン類を、オペレーターが視認しやすい第３のカバー１０１ｄの上面に仮保持することができる。
【００７３】
また、プリンタ装置１００における正面側に設けられている第３のカバー１０１ｄに凹部１０６が設けられているため、凹部１０６に載置されたコイン類をオペレーターが回収する際には、第３のカバー１０１ｄの正面側の縁（端）部分を利用してコイン類を容易に取り扱うことができる。
【００７４】
レシートプリンタ機構７１０においては、第１のカバー１０１ｂが第１の閉塞位置に位置付けられた状態において、第１の用紙保持部７１１から第１の記録部７１２およびカッタ機構７１３を経由して排出口１０４に至るレシート用紙搬送経路が形成される。第１の用紙保持部７１１に保持されているロール状のレシート用紙７０１は、外周側から引き出されてレシート用紙搬送経路中を搬送される。
【００７５】
ジャーナルプリンタ機構７２０は、第２の用紙保持部７２１と第２の記録部７２２と巻き取り部７２３とを備えている。また、ジャーナルプリンタ機構７２０は、ジャーナルフレーム７２４を備えている。ジャーナルフレーム７２４は、第２のカバー１０１ｃの内側に設けられ、支軸７２４ａを介してハウジング１０１ａに連結されている。
【００７６】
ジャーナルフレーム７２４は、ハウジング１０１ａに対する連結位置を回動中心として、ハウジング１０１ａに対して回動可能に軸支されている。より具体的に、ジャーナルフレーム７２４は、略コの字形状をなし、両端部がハウジング１０１ａに対して回動可能に軸支されている。
【００７７】
ジャーナルフレーム７２４は、ハウジング１０１ａに対して軸支された位置（支軸７２４ａ）を支点として、第２の記録部７２２がジャーナル用紙７０２に対する記録をおこなう際に位置付けられる第３の閉塞位置（たとえば図７、図１８を参照）と、ハウジング１０１ａに対するジャーナル用紙７０２の着脱を可能とする第３の開放位置（たとえば図９、図１３を参照）と、の間でハウジング１０１ａに対して回動可能とされている。
【００７８】
第２の用紙保持部７２１は、ハウジング１０１ａ内における背面側に設けられ、ロール状に巻回された状態のジャーナル用紙７０２を保持する。第２の用紙保持部７２１は、ロール状に巻回された状態のジャーナル用紙７０２を、鉛直方向下側から支える曲面部を備えている。
【００７９】
ロール状に巻回された状態のジャーナル用紙７０２は、外周側から引き出されながら消費される。ジャーナル用紙７０２は、消費されるにともない、徐々に外径寸法を小さくしながら、自重によって第２の用紙保持部７２１が備えた曲面部の下端に収まるように移動する。
【００８０】
第２の用紙保持部７２１は、第２の用紙保持部７２１におけるジャーナル用紙７０２の残量を検出するジャーナル残量検出機構を備えていてもよい。ジャーナル残量検出機構は、たとえば光電センサを用いて実現することができる。ジャーナル残量検出機構については、上記のレシート残量検出機構と同様に公知の技術を用いて容易に実現可能であるため説明を省略する。
【００８１】
第２の記録部７２２は、第２のプラテン（図９における符号９０２を参照）と第２の記録ヘッド７２５とを備えている。第２のプラテン９０２は、ジャーナルフレーム７２４に設けられている。第２の記録ヘッド７２５は、ハウジング１０１ａ側に設けられており、第２のカバー１０１ｃが第２の閉塞位置に位置付けられている状態で第２のプラテン９０２に対向する。より詳細には、第２の記録ヘッド７２５は、ジャーナルフレーム７２４が第３の閉塞位置に位置付けられている状態において第２のプラテン９０２に対向する。
【００８２】
第２の記録部７２２は、第２の記録ヘッド７２５と第２のプラテン９０２とが対向している状態において、第２の記録ヘッド７２５と第２のプラテン９０２との間に搬送されたジャーナル用紙７０２に対して記録をおこなう。この実施の形態において、第２の記録ヘッド７２５は、サーマル方式の記録をおこなう。第２の記録ヘッド７２５は、第１の記録ヘッド７１４と同様に、サーマル方式の記録をおこなうものに限らず、その他の方式によって記録をおこなうものであってもよい。
【００８３】
第２のプラテン９０２は、ジャーナル用紙７０２の幅方向（図７における紙面表裏方向）を軸心方向とする略円柱形状をなす。第２のプラテン９０２の軸の一端には、図示を省略するギアが取り付けられている。このギアは、ハウジング１０１ａ側に設けられた図示を省略する第２のプラテン９０２用のモータの駆動力が伝達されることによって回転する。第２のプラテン９０２は、第２のプラテン９０２用のモータの駆動力が伝達されるギアの回転にともなって回転する。
【００８４】
第２のプラテン９０２は、第２の用紙保持部７２１から巻き取り部７２３側に向かって搬送されるジャーナル用紙７０２を間にして第２の記録ヘッド７２５に対向し、ジャーナル用紙７０２を当該ジャーナル用紙７０２の裏面側から支持する。また、第２のプラテン９０２は、軸心回りに回転することによって、記録がなされたジャーナル用紙７０２を、第２の用紙保持部７２１側から巻き取り部７２３側へ搬送する。
【００８５】
巻き取り部７２３は、第２の記録部７２２によって記録がなされたジャーナル用紙７０２を巻き取る巻き取り軸７２３ａを備えている。巻き取り軸７２３ａは、ジャーナル用紙７０２の先端部分（長手方向における端部）を把持する、図示を省略する把持機構を備えている。
【００８６】
ジャーナル用紙７０２の先端を巻き取り軸７２３ａによって把持した状態で巻き取り軸７２３ａが回転することにより、記録がなされたジャーナル用紙７０２を巻き取り軸７２３ａに巻き取ることができる。把持機構については、公知の各種の技術を用いて容易に実現可能であるため説明を省略する。
【００８７】
巻き取り軸７２３ａには、図示を省略するギア列が連結されており、第２のプラテン９０２用のモータの駆動力が伝達されることによって第２のプラテン９０２とともに当該第２のプラテン９０２と同一方向に回転する。巻き取り軸７２３ａは、第２のプラテン９０２用のモータとは別のモータの駆動力が伝達されることによって回転するものであってもよい。
【００８８】
巻き取り軸７２３ａは、巻き取り軸７２３ａのハウジング１０１ａの設置面からの高さが、第１の閉塞位置に位置付けられた状態の第１のカバー１０１ｂの高さよりも高くなる位置に設けられている。これにより、第１のカバー１０１ｂを第１の閉塞位置に位置付けるとともに、第２のカバー１０１ｃを第２の開放位置に位置付けた状態においては、巻き取り軸７２３ａに巻き取られたジャーナル用紙７０２が、第１の閉塞位置に位置付けられた状態の第１のカバー１０１ｂよりもハウジング１０１ａの外側に飛び出した状態となる。これにより、巻き取り軸７２３ａに巻き取られたジャーナル用紙７０２を、プリンタ装置１００の正面側から容易に視認することができる。
【００８９】
巻き取り軸７２３ａは、ハウジング１０１ａの設置面からの高さが第１の閉塞位置に位置付けられた状態の第１のカバー１０１ｂの高さよりも高くなる位置に限るものではなく、ハウジング１０１ａの設置面からの高さが第１の閉塞位置に位置付けられた状態の第１のカバー１０１ｂの高さと同等となる位置に設けられているものであってもよい。
【００９０】
具体的には、巻き取り軸７２３ａは、第１のカバー１０１ｂを第１の閉塞位置に位置付けるとともに第２のカバー１０１ｃを第２の開放位置に位置付けた状態において、巻き取り軸７２３ａに巻き取られたジャーナル用紙７０２が、第１の閉塞位置に位置付けられた状態の第１のカバー１０１ｂよりもハウジング１０１ａの外側に飛び出した状態となればよい。
【００９１】
上述した第２の用紙保持部７２１は、ハウジング１０１ａの設置面からの高さ方向における巻き取り軸７２３ａよりも低い位置においてジャーナル用紙７０２を保持している。これにより、ハウジング１０１ａ内の背面側において、未記録のジャーナル用紙７０２と巻き取られたジャーナル用紙７０２とがハウジング１０１ａの設置面からの高さ方向に沿って略並列した状態となる。
【００９２】
第２のカバー１０１ｃには、書き込み用開口部１０７が設けられている。書き込み用開口部１０７は、第２のカバー１０１ｃを板厚方向に貫通している。書き込み用開口部１０７は、第２のカバー１０１ｃを第２の閉塞位置に位置付けた状態において、ジャーナル用紙７０２への外部からの接触を可能とする。書き込み用開口部１０７を設けることにより、具体的には、たとえば第２のカバー１０１ｃを開閉することなくジャーナル用紙７０２への書き込みなどが可能となる。
【００９３】
また、第２のカバー１０１ｃは、書き込み用開口部１０７を開放可能に閉塞する窓部材１０８を備えている。窓部材１０８は、第２のカバー１０１ｃに対して回動可能に軸支されている。窓部材１０８は、第２のカバー１０１ｃに対して回動することによって、書き込み用開口部１０７を介してのジャーナル用紙７０２への書き込みを可能とする開放位置、あるいは、書き込み用開口部１０７を閉塞する閉塞位置に位置付けられる。
【００９４】
窓部材１０８は、光学的に透明な材料を用いて形成された透明な部材とされている。窓部材１０８が透明な材料で形成されているため、窓部材１０８を閉塞位置に位置付け、書き込み用開口部１０７を閉塞した状態においてもジャーナル用紙７０２の状態（正常に記録され搬送されているか、など）やジャーナル用紙７０２に記録された情報などを視認することができる。窓部材１０８は、ジャーナル用紙７０２の状態やジャーナル用紙７０２に記録された情報を、オペレーターが視認可能な程度の透明性を備えていればよい。このため、窓部材１０８は、無色透明であってもよく、着色されていてもよい。
【００９５】
ジャーナルプリンタ機構７２０においては、第２のカバー１０１ｃが第２の閉塞位置に位置付けられた状態において、第２の用紙保持部７２１から第２の記録部７２２を経由して巻き取り部７２３に至るジャーナル用紙搬送経路が形成される。第２の用紙保持部７２１に保持されているロール状のジャーナル用紙７０２は、外周側から引き出されてジャーナル用紙搬送経路中を搬送される。
【００９６】
上記のジャーナルフレーム７２４には、巻き取り軸保持部７２６および書き込み台７２７が設けられている。巻き取り軸保持部７２６は、上記の巻き取り部７２３を構成する巻き取り軸７２３ａを保持する。巻き取り軸保持部７２６は、ジャーナルフレーム７２４に設けられた板状部材７２６ａと、当該板状部材７２６ａに設けられたフック部７２６ｂと、によって実現されている。
【００９７】
フック部７２６ｂは、板状部材７２６ａの上端部からプリンタ装置１００の設置面側に向かって当該板状部材７２６ａの一部を切り欠くことによって形成されている。フック部７２６ｂは、巻き取り軸７２３ａの軸心方向における両端部すなわちジャーナル用紙７０２の幅方向における両側に設けられている。
【００９８】
これにより、巻き取り軸７２３ａを安定に保持することができ、ジャーナル用紙７０２を確実に巻き取ることができる。フック部７２６ｂは、巻き取り軸７２３ａの両端部を、鉛直方向下側から支持している。すなわち巻き取り軸７２３ａは、鉛直方向上側からフック部７２６ｂに載せられた状態で支持されている。これにより、巻き取り軸７２３ａの着脱を容易におこなうことができる。
【００９９】
また、フック部７２６ｂは、板状部材７２６ａの一部を略Ｕ字形状に切り欠くことによって形成されている。フック部７２６ｂがなす円弧（湾曲）部分は、巻き取り軸７２３ａの外周面に沿った曲率で屈曲している。この形状によって、フック部７２６ｂは、巻き取り軸７２３ａの両端部を、鉛直方向下側および側方から支持している。これにより、巻き取り軸７２３ａの着脱の容易性を確保しつつ、巻き取り部７２３における巻き取り軸７２３ａの位置の安定化を図り、巻き取り部７２３における巻き取り軸７２３ａのがたつきを防止することができる。
【０１００】
第２の用紙保持部７２１は、巻き取り部７２３すなわち巻き取り軸７２３ａよりも鉛直方向における下方に設けられている。また、第２の記録部７２２における第２の記録ヘッド７２５と第２のプラテン９０２との対向位置は、巻き取り部７２３すなわち巻き取り軸７２３ａよりも鉛直方向における下方に設けられている。このため、巻き取り軸７２３ａに対しては、当該巻き取り軸７２３ａに巻き付けられるジャーナル用紙７０２によって加えられる張力によって、巻き取り軸７２３ａを鉛直方向における下方に引っ張る力が作用している。
【０１０１】
上述したように、フック部７２６ｂは巻き取り軸７２３ａの両端部を鉛直方向下側および側方から支持しているため、ジャーナル用紙７０２によって鉛直方向における下方に引っ張る力によって、フック部７２６ｂにおける巻き取り軸７２３ａを鉛直方向における下方に付勢する力が作用する。これによって、フック部７２６ｂにおける巻き取り軸７２３ａの位置を安定化することができる。
【０１０２】
巻き取り軸７２３ａに巻き取られたジャーナル用紙７０２は、第２のカバー１０１ｃが第２の開放位置に位置付けられている状態において、ジャーナルプリンタから取り外すことができる。そして、第２の用紙保持部７２１に保持されたジャーナル用紙７０２は、第２のカバー１０１ｃが第２の開放位置に位置付けられるとともに、ジャーナルフレーム７２４が第３の開放位置に位置付けられている状態において、ジャーナルプリンタ機構７２０から取り外すことができる。
【０１０３】
また、第２の用紙保持部７２１に保持されたジャーナル用紙７０２は、その径によっては、ジャーナルフレーム７２４が第３の閉塞位置に位置付けられている状態においてもジャーナルプリンタ機構７２０から取り外すことができる。
【０１０４】
書き込み台７２７は、ジャーナルフレーム７２４が第３の閉塞位置に位置付けられている状態で、ジャーナル用紙７０２の裏面側を支持する。この実施の形態においては、情報が記録される面をジャーナル用紙７０２の表面とし、当該表面とは反対側の面を裏面とする。書き込み台７２７は、少なくとも、ジャーナル用紙７０２の裏面側に位置付けられる部分に平面部７２７aを備えている。
【０１０５】
この平面部７２７aは、ジャーナルフレーム７２４が第３の閉塞位置に位置付けられるとともに第２のカバー１０１ｃが第２の閉塞位置に位置付けられている状態において、書き込み用開口部１０７に対向する。平面部７２７aの面積は、書き込み用開口部１０７と同等あるいは書き込み用開口部１０７よりも広い。平面部７２７aは、第２のカバー１０１ｃ（書き込み用開口部１０７）に対して、ジャーナル用紙７０２の搬送が可能な程度の隙間をあけて対峙している。
【０１０６】
書き込み台７２７は、平面部７２７aによってジャーナル用紙７０２を支持することによって、オペレーターによるジャーナル用紙７０２に対する書き込み（筆記）を受け付ける。このとき、平面部７２７aが第２のカバー１０１ｃ（書き込み用開口部１０７）に対して、ジャーナル用紙７０２の搬送が可能な程度の隙間をあけて対峙しているため、確認や書き込み対象とする箇所の検索に際してジャーナル用紙７０２を容易に紙送りできるとともに、書き込みに際してジャーナル用紙７０２が弛んでしまったり、筆記によってジャーナル用紙７０２が損傷したりすることを防止することができる。
【０１０７】
つぎに、この発明にかかる実施の形態のプリンタ装置１００における各部の位置関係について説明する。図９、図１０、図１１、図１２、図１３、図１４、図１５、図１６、図１７および図１８は、この発明にかかる実施の形態のプリンタ装置１００を示す説明図である。
【０１０８】
図１〜図８においては第１のカバー１０１ｂおよび第２のカバー１０１ｃがともに閉塞されていた状態のプリンタ装置１００を示していたのに対し、図９、図１０および図１３においては、第１のカバー１０１ｂが第１の開放位置に位置付けられるとともに第２のカバー１０１ｃが第２の開放位置に位置付けられ、さらに第３のカバー１０１ｄが開放位置に位置付けられている状態のプリンタ装置１００を示している。図１１、図１２、および図１４〜図１８においては、第１のカバー１０１ｂが第１の開放位置に位置付けられるとともに第２のカバー１０１ｃが第２の開放位置に位置付けられ、第３のカバー１０１ｄが閉塞位置に位置付けられている状態のプリンタ装置１００を示している。
【０１０９】
図９、図１０、図１１、図１２および図１３においては、レシート用紙７０１をレシートプリンタ機構７１０にセットするとともに、ジャーナル用紙７０２をジャーナルプリンタ機構７２０にセットした状態を示している。具体的に、図９においては、プリンタ装置１００を斜め上方から見た状態を示している。図１０においては、プリンタ装置１００を、当該プリンタ装置１００の正面に正対した場合に右側となる側（右側方）から見た状態を示している。図１１においては、プリンタ装置１００を正面から見た状態を示している。図１２においては、プリンタ装置１００を背面から見た状態を示している。図１３においては、図１１におけるＧ−Ｇ断面を、プリンタ装置１００の正面に正対した場合に右側となる側（右側方）から見た状態を示している。
【０１１０】
図１４、図１５、図１６、図１７および図１８においては、ジャーナル用紙７０２が巻き取り部７２３に巻き取られた状態を示している。図１４においては、プリンタ装置１００を斜め上方から見た状態を示している。図１５においては、プリンタ装置１００を、当該プリンタ装置１００の正面に正対した場合に右側となる側（右側方）から見た状態を示している。図１６においては、プリンタ装置１００を正面から見た状態を示している。図１７においては、プリンタ装置１００を上方（図１６における紙面上側）から見た状態を示している。図１８においては、図１７におけるＨ−Ｈ断面を、プリンタ装置１００の正面に正対した場合に右側となる側（右側方）から見た状態を示している。
【０１１１】
図９、図１０、図１１、図１２、図１３、図１４、図１５、図１６、図１７および図１８において、ジャーナルプリンタ機構７２０における第２の用紙保持部７２１に保持された状態のジャーナル用紙７０２は、レシートプリンタ機構７１０における第１の用紙保持部７１１に保持された状態のレシート用紙７０１よりも、プリンタ装置１００の設置面に近い位置すなわち低い位置に位置付けられる。図９における符号９０１は第１のプラテンを示しており、符号９０２は第２のプラテンを示している。
【０１１２】
第１の用紙保持部７１１に対するレシート用紙７０１のセット方法、および、第２の用紙保持部７２１に対するジャーナル用紙７０２のセット方法は、いずれも投げ込み式と称され、記録対象とする媒体（レシート用紙７０１あるいはジャーナル用紙７０２）を簡易にセットすることができる。投げ込み式と称されるセット方法においては、記録対象とする媒体（レシート用紙７０１あるいはジャーナル用紙７０２）を、該当する保持部に落とし込むことによってセットが完了する。
【０１１３】
この実施の形態のプリンタ装置１００においては、第１のカバー１０１ｂは第１の用紙保持部７１１のみの開閉をおこない、第２のカバー１０１ｃは第２の用紙保持部７２１のみの開閉をおこなう。このため、第１の用紙保持部７１１および第２の用紙保持部７２１を、それぞれ独立して開放することができる。
【０１１４】
すなわち、この実施の形態のプリンタ装置１００においては、レシート用紙７０１あるいはジャーナル用紙７０２のセット（交換）に際しては、第１のカバー１０１ｂおよび第２のカバー１０１ｃのうち該当するカバーのみを操作して、第１の用紙保持部７１１あるいは第２の用紙保持部７２１のみを開放することができる。これによって、第１の用紙保持部７１１と第２の用紙保持部７２１とが隣り合っている場合にも各用紙をセットする位置を誤らせることなく、投げ込み式による用紙のセット作業の容易性を維持することができる。
【０１１５】
これにより、特に、オペレーターから見て遠い位置となる、ハウジング１０１ａにおける背面側にジャーナルプリンタ機構７２０を設けた場合にも、当該ジャーナルプリンタ機構７２０に対するジャーナル用紙７０２のセット作業の容易性を維持することができる。
【０１１６】
レシートプリンタ機構７１０において、第１の記録ヘッド７１４と第１のプラテン９０１との間においてレシート用紙７０１が詰まる用紙ジャムや、固定刃８０１と可動刃８０２との間においてレシート用紙７０１が詰まるカッタジャムなどが発生する場合がある。このような用紙ジャムやカッタジャムが発生した場合は、以降の記録動作の継続が不可能な状態となる。
【０１１７】
この実施の形態のプリンタ装置１００においては、レシートプリンタ機構７１０において用紙ジャムが発生した場合に、オペレーターに対して、第１のカバー１０１ｂを開放させる。また、この実施の形態のプリンタ装置１００においては、カッタジャムが発生した場合に、オペレーターに対して、第３のカバー１０１ｄを開放させる。
【０１１８】
プリンタ装置１００においては、レシートプリンタ機構７１０においてジャムが発生しやすいレシート用紙搬送経路中にセンサを設け、このセンサからの出力信号に基づいて用紙ジャムあるいはカッタジャムの発生を検出し、発生したジャムの位置に応じて該当するカバーを開放させるようにしてもよい。この場合、具体的には、たとえば用紙ジャムおよびカッタジャムに応じて点灯するＬＥＤランプをそれぞれ設け、用紙ジャムおよびカッタジャムが発生した場合には該当するＬＥＤランプを点灯することによって開放させるカバーを案内することができる。
【０１１９】
なお、プリンタ装置１００においては、レシートプリンタ機構７１０における用紙ジャムの発生時に、開放させるカバーを指定するものに限らない。この場合、たとえばレシートプリンタ機構７１０において用紙ジャムあるいはカッタジャムが発生すると、用紙ジャムあるいはカッタジャムが発生したことのみを案内するＬＥＤランプを点灯するように構成することができる。
【０１２０】
第１の記録部７１２においては、第１のプラテン９０１が第１のカバー１０１ｂに設けられている。このため、第１のカバー１０１ｂを第１の開放位置に位置付けるだけで、第１の記録ヘッド７１４と第１のプラテン９０１とを離間させることができ、レシートプリンタ機構７１０において用紙ジャムの原因となるレシート用紙７０１を取り除くための作業スペースを容易に確保することができる。
【０１２１】
これによって、レシートプリンタ機構７１０において用紙ジャムの原因となるレシート用紙７０１を容易に除去することができる。用紙ジャムの原因となるレシート用紙７０１を除去した後は、第１のカバー１０１ｂを第１の閉塞位置に位置付けるだけで第１の記録ヘッド７１４と第１のプラテン９０１とを対向させることができ、レシートの発行にかかる処理に迅速に復帰することができる。
【０１２２】
カッタ機構７１３においては、固定刃８０１が第１のカバー１０１ｂに設けられるとともに可動刃８０２が固定刃８０１の下流側に重なる構成であるため、可動刃８０２が収納部８０４から飛び出した状態でカッタジャムが発生した場合、固定刃８０１が可動刃８０２によって押さえつけられた状態となる。このため、カッタジャムが発生した場合は、第３のカバー１０１ｄを第４の開放位置に位置付け、可動刃駆動用のノブや軸を回転させることによって、固定刃８０１から可動刃８０２を離反させる。
【０１２３】
固定刃８０１から可動刃８０２を離反させることによりカッタジャムの原因となるレシート用紙７０１を取り除くための隙間を確保することができる。第３のカバー１０１ｄを第４の開放位置に位置付け、固定刃８０１から可動刃８０２を離反させることによって、カッタジャムの原因となるレシート用紙７０１を取り除くことができる場合は、当該レシート用紙７０１を取り除いた後、第３のカバー１０１ｄを第４の閉塞位置に位置付けることにより、レシートの発行にかかる処理に復帰することができる。
【０１２４】
第３のカバー１０１ｄを第４の開放位置に位置付け、固定刃８０１から可動刃８０２を離反させた状態では、カッタジャムの原因となるレシート用紙７０１を完全に取り除くことができない場合は、第１のカバー１０１ｂを第１の開放位置に位置付け、上記の用紙ジャムと同様にして、カッタジャムの原因となるレシート用紙７０１を除去する。カッタジャムの原因となるレシート用紙７０１を除去した後は、第１のカバー１０１ｂを第１の閉塞位置に位置付けるとともに、第３のカバー１０１ｄを第４の閉塞位置に位置付ける。これによって、レシートの発行にかかる処理に復帰することができる。
【０１２５】
ジャーナル機構において、第２の記録ヘッド７２５と第２のプラテン９０２との間においてジャーナル用紙７０２が詰まる用紙ジャムが発生した場合は、以降の記録動作の継続が不可能な状態となる。この実施の形態のプリンタ装置１００においては、ジャーナル機構において用紙ジャムが発生した場合に、オペレーターに対して、第２のカバー１０１ｃを開放させる。
【０１２６】
つぎに、ジャーナルフレーム７２４を第３の開放位置に位置付ける。これにより、第２の記録ヘッド７２５から第２のプラテン９０２を離間させることができ、ジャーナルプリンタ機構７２０において用紙ジャムの原因となるジャーナル用紙７０２を取り除くための作業スペースを容易に確保することができる。
【０１２７】
これによって、ジャーナルプリンタ機構７２０において用紙ジャムの原因となるジャーナル用紙７０２を容易に除去することができる。用紙ジャムの原因となるジャーナル用紙７０２を除去した後は、ジャーナルフレーム７２４を第３の閉塞位置に位置付けるとともに、第２のカバー１０１ｃを第２の閉塞位置に位置付ける。これにより、第２の記録ヘッド７２５と第２のプラテン９０２とを対向させることができ、ジャーナルの記録にかかる処理に迅速に復帰することができる。
【０１２８】
以上説明したように、この実施の形態のプリンタ装置１００は、上側に開口部が設けられ略箱形状をなすハウジング１０１ａと、ハウジング１０１ａ内における正面側に設けられ、ロール状に巻回された長尺状のレシート用紙７０１を保持する第１の用紙保持部７１１とレシート用紙７０１に対する記録をおこなう第１の記録部７１２と当該第１の記録部７１２を通過したレシート用紙７０１を任意の位置でカットするカッタ機構７１３とを備えたレシートプリンタ機構７１０と、ハウジング１０１ａ内における背面側に設けられ、ロール状に巻回された長尺状のジャーナル用紙７０２を保持する第２の用紙保持部７２１とジャーナル用紙７０２に対する記録をおこなう第２の記録部７２２と当該第２の記録部７２２を通過したジャーナル用紙７０２を巻き取る巻き取り部７２３とを備えたジャーナルプリンタ機構７２０を有している。
【０１２９】
そして、この実施の形態のプリンタ装置１００は、上記のプリンタ装置１００において、開口部における第１の用紙保持部７１１の上方を閉塞することでレシート用紙７０１を外部に排出する排出口１０４をハウジング１０１ａとともに形成する第１の閉塞位置またはハウジング１０１ａに対するレシート用紙７０１の着脱を可能とする第１の開放位置に位置付けられる第１のカバー１０１ｂと、開口部における第２の用紙保持部７２１の上方を閉塞する第２の閉塞位置またはハウジング１０１ａに対するジャーナル用紙７０２の着脱を可能とする第２の開放位置に位置付けられる第２のカバー１０１ｃと、第２のカバー１０１ｃに設けられ、当該第２のカバー１０１ｃを第２の閉塞位置に位置付けた状態でジャーナル用紙７０２への接触を可能とする書き込み用開口部１０７と、第２のカバー１０１ｃの内側に設けられ、第２の記録部７２２がジャーナル用紙７０２に対する記録をおこなう第３の閉塞位置とハウジング１０１ａに対するジャーナル用紙７０２の着脱を可能とする第３の開放位置との間を回動可能に軸支されたジャーナルフレーム７２４と、ジャーナルフレーム７２４に設けられ、ジャーナル用紙７０２を巻き取る巻き取り軸７２３ａを保持する巻き取り軸保持部７２６と書き込み用開口部１０７を通過するジャーナル用紙７０２の裏面を支持する書き込み台７２７と、を備えたことを特徴としている。
【０１３０】
この実施の形態のプリンタ装置１００によれば、レシート用紙７０１を排出するレシートプリンタ機構７１０がジャーナルプリンタ機構７２０よりも正面側に設けられているため、ジャーナル用紙７０２と比較してオペレーターが取り扱う頻度が高いレシート用紙７０１をオペレーターが手に取りやすい。これにより、発行されたレシートを顧客に手渡すなどの、レシート発行後の作業がおこないやすく、レシートの発行にかかわる作業性の向上を図ることができる。
【０１３１】
また、この実施の形態のプリンタ装置１００によれば、第２のカバー１０１ｃに書き込み用開口部１０７が設けられているため、ジャーナル用紙７０２をハウジング１０１ａから取り出すことなく当該ジャーナル用紙７０２に記録された情報の確認や修正のための筆記などをおこなうことができる。これにより、ジャーナル用紙７０２をハウジング１０１ａから取り出すことなく、ジャーナル用紙７０２の状態や当該ジャーナル用紙７０２における記録内容の確認などを容易におこなうことができる。
【０１３２】
さらに、この実施の形態のプリンタ装置１００によれば、第１のカバー１０１ｂおよび第２のカバー１０１ｃが開口部を覆うように設けられているため、レシート用紙７０１およびジャーナル用紙７０２のいずれの交換作業においてもハウジング１０１ａに対して同一方向から作業をおこなうことができ、プリンタ装置１００の設置に際して交換作業のために確保しておくべき上方の空間を小さくすることができる。
【０１３３】
同様に、この実施の形態のプリンタ装置１００によれば、用紙（レシート用紙７０１あるいはジャーナル用紙７０２）の交換に際しては、第１のカバー１０１ｂおよび第２のカバー１０１ｃのうち該当するカバーのみを開放することで、交換対象となる用紙（レシート用紙７０１あるいはジャーナル用紙７０２）以外の用紙（ジャーナル用紙７０２あるいはレシート用紙７０１）に不用意に接触することを防止するとともに、交換作業位置を正しく案内し、用紙の交換作業の容易化を図ることができる。
【０１３４】
このように、この実施の形態のプリンタ装置１００によれば、レシートプリンタ機構７１０およびジャーナルプリンタ機構７２０をオペレーターに対して手前側から奥側へ並べて配置することによって２つのプリンタ機構を備えたプリンタ装置１００の幅方向の寸法増大を抑えるとともに、２つのプリンタ機構の双方に対して容易かつ確実にアクセスすることができる。これによって、レシートプリンタ機構７１０およびジャーナルプリンタ機構７２０の双方に対する操作性を低下させることなく小型化を実現することができる。
【０１３５】
また、この実施の形態のプリンタ装置１００は、ハウジング１０１ａの正面に、カッタ機構７１３を覆う第４の閉塞位置またはカッタ機構７１３を露出させる第４の開放位置に位置付けられる第３のカバー１０１ｄを備えたことを特徴としている。この実施の形態のプリンタ装置１００によれば、第３のカバー１０１ｄを第４の開放位置に位置付ける、すなわち第３のカバー１０１ｄを開くだけで、カッタ機構７１３にアクセスすることができる。これによって、固定刃８０１と可動刃８０２との間にレシート用紙７０１が詰まることによるカッタジャムが発生した場合に、当該カッタジャムを容易に解除することができる。
【０１３６】
また、この実施の形態のプリンタ装置１００は、第１の記録部７１２が、第１のカバー１０１ｂに設けられた第１のプラテン９０１と、第１のカバー１０１ｂが第１の閉塞位置に位置付けられている状態で第１のプラテン９０１に対向する第１の記録ヘッド７１４を備え、第２の記録部７２２が、ジャーナルフレーム７２４に設けられた第２のプラテン９０２と、ジャーナルフレーム７２４が第３の閉塞位置に位置付けられている状態で第２のプラテン９０２に対向する第２の記録ヘッド７２５を備えたことを特徴としている。
【０１３７】
この実施の形態のプリンタ装置１００によれば、第１のカバー１０１ｂを第１の開放位置に位置付ける、すなわち第１のカバー１０１ｂを開くだけで、第１の記録ヘッド７１４から第１のプラテン９０１を離間させることができる。これによって、たとえば第１の記録ヘッド７１４と第１のプラテン９０１との間にレシート用紙７０１が詰まることによる用紙ジャムが発生した場合に、当該用紙ジャムを容易に解除することができる。
【０１３８】
また、この実施の形態のプリンタ装置１００によれば、第２のカバー１０１ｃを第２の開放位置に位置付ける、すなわち第２のカバー１０１ｃを開けた後にジャーナルフレーム７２４を開くだけで、第２の記録ヘッド７２５から第２のプラテン９０２を離間させることができる。これによって、たとえば第２の記録ヘッド７２５と第２のプラテン９０２との間にジャーナル用紙７０２が詰まることによる用紙ジャムが発生した場合に、当該用紙ジャムを容易に解除することができる。
【０１３９】
また、この実施の形態のプリンタ装置１００は、カッタ機構７１３が、第１のカバー１０１ｂに取り付けられた固定刃８０１と、ハウジング１０１ａ側に設けられ第１のカバー１０１ｂが第１の閉塞位置に位置付けられている状態で固定刃８０１と対峙するとともに固定刃８０１に対して往復動自在に設けられた可動刃８０２を備えたことを特徴としている。
【０１４０】
この実施の形態のプリンタ装置１００によれば、第１のカバー１０１ｂを第１の開放位置に位置付ける、すなわち第１のカバー１０１ｂを開くだけで、固定刃８０１と可動刃８０２とを分離させることができる。これによって、固定刃８０１と可動刃８０２との間にレシート用紙７０１が詰まることによるカッタジャムが発生した場合に、当該カッタジャムを容易に解除することができる。
【０１４１】
また、この実施の形態のプリンタ装置１００は、第１のカバー１０１ｂおよび第２のカバー１０１ｃが、ともに、第１のカバー１０１ｂおよび第２のカバー１０１ｃにおける背面側を回転支点としてハウジング１０１ａに回動可能に軸支され、第１のカバー１０１ｂの回転支点は第２のカバー１０１ｃよりも前方に位置することを特徴としている。
【０１４２】
この実施の形態のプリンタ装置１００によれば、第１のカバー１０１ｂおよび第２のカバー１０１ｃがともに後部を回転支点としてハウジング１０１ａに回動可能に軸支されるように設けられているため、レシート用紙７０１およびジャーナル用紙７０２のいずれの交換作業においてもハウジング１０１ａに対して同一方向から作業をおこなうことができる。これにより、作業内容に応じてプリンタ装置１００に対するアクセス位置を変える必要がなく、常に同じ位置で作業をおこなうことができるので、プリンタ装置１００に対する作業性の向上を図ることができる。
【０１４３】
また、この実施の形態のプリンタ装置１００によれば、レシート用紙７０１およびジャーナル用紙７０２のいずれの交換作業においてもハウジング１０１ａに対して同一方向から作業をおこなうことができるので、プリンタ装置１００の設置に際して交換作業のために確保しておくべき上方の空間を小さくすることができる。これにより、プリンタ装置１００の周辺の空間を有効に活用することができる。
【０１４４】
また、この実施の形態のプリンタ装置１００は、第２のカバー１０１ｃが、書き込み用開口部１０７を開閉可能に取り付けられた窓部材１０８を備え、当該窓部材１０８は透明な部材で形成されたことを特徴としている。この実施の形態のプリンタ装置１００によれば、ジャーナル用紙７０２に書き込みを行う際には窓部材１０８を開け、書き込みを行う必要がないときは窓部材１０８を閉めた状態とすることができる。これによって、ジャーナルプリンタ機構７２０に外部から埃、異物が進入することを防止できる。
【０１４５】
また、この実施の形態のプリンタ装置１００によれば、窓部材１０８が透明な材料で形成されているので、窓部材１０８を閉めた状態でもジャーナル用紙７０２の状態を視認することができる。これによって、ジャーナル用紙７０２の状態や記録内容の確認作業ごとに、いちいち窓部材１０８を開閉することなく、ジャーナル用紙７０２の状態や記録内容を容易かつ迅速に確認することができる。
【０１４６】
また、この実施の形態のプリンタ装置１００は、第１のカバー１０１ｂおよび第２のカバー１０１ｃが、それぞれ、第１の閉塞位置および第２の閉塞位置に位置付けられている状態で、ハウジング１０１ａの設置面からの高さが正面側よりも背面側の方が高くなるように設置面に対して傾斜していることを特徴としている。
【０１４７】
この実施の形態のプリンタ装置１００によれば、レシートプリンタよりも背面側にあるジャーナルプリンタの視認性を確保することができる。これによって、ジャーナルプリンタをレシートプリンタよりも背面側に配置することによって、ジャーナルプリンタに対する作業や操作に際しての作業性や操作性が低下することを抑制することができる。
【０１４８】
また、この実施の形態のプリンタ装置１００は、巻き取り軸７２３ａが、設置面からの高さが、第１の閉塞位置に位置付けられた状態の第１のカバー１０１ｂと同等位置あるいは第１のカバー１０１ｂよりも高い位置に設けられていることを特徴としている。この実施の形態のプリンタ装置１００によれば、第２のカバー１０１ｃを第２の開放位置に位置付けた状態においては、巻き取り軸７２３ａに巻き取られたジャーナル用紙７０２が、第１の閉塞位置に位置付けられた状態の第１のカバー１０１ｂよりもハウジング１０１ａの外側に飛び出した状態となる。これによって、巻き取ったジャーナル用紙７０２の回収作業の容易化を図ることができる。
【０１４９】
また、この実施の形態のプリンタ装置１００は、第２の用紙保持部７２１が、設置面からの高さ方向における巻き取り軸７２３ａよりも低い位置においてジャーナル用紙７０２を保持することを特徴としている。この実施の形態のプリンタ装置１００によれば、ハウジング１０１ａ内の背面側において、未記録のジャーナル用紙７０２と巻き取られたジャーナル用紙７０２とがハウジング１０１ａの設置面からの高さ方向に沿って略並列した状態となるため、未記録のジャーナル用紙７０２と記録済みの巻き取られたジャーナル用紙７０２とを保持するためにレシートプリンタ機構７１０よりも大型となるジャーナルプリンタ機構７２０を備えたプリンタ装置１００の、レシートプリンタ機構７１０とジャーナルプリンタ機構７２０との配列方向における大型化を抑制することができる。
【産業上の利用可能性】
【０１５０】
以上のように、この発明にかかるプリンタ装置は、レシート記録をおこなうレシートプリンタ機構およびジャーナル記録をおこなうジャーナルプリンタ機構を備えたプリンタ装置に有用であり、特に、レシートプリンタ機構およびジャーナルプリンタ機構の双方に対する高い操作性および小型化が要求されるプリンタ装置に適している。
【符号の説明】
【０１５１】
１００  プリンタ装置
１０１ａ  ハウジング
１０１ｂ  第１のカバー
１０１ｃ  第２のカバー
１０１ｄ  第３のカバー
１０４  排出口
７０１  レシート用紙
７０２  ジャーナル用紙
７１０  レシートプリンタ機構
７１１  第１の用紙保持部
７１２  第１の記録部
７１３  カッタ機構
７１４  第１の記録ヘッド
７２０  ジャーナルプリンタ機構
７２１  第２の用紙保持部
７２２  第２の記録部
７２３  巻き取り部
７２４  ジャーナルフレーム
８０１  固定刃
８０２  可動刃
９０１  第１のプラテン
９０２  第２のプラテン
【図１】
2011093115.tif 000003
【図２】
2011093115.tif 000004
【図３】
2011093115.tif 000005
【図４】
2011093115.tif 000006
【図５】
2011093115.tif 000007
【図６】
2011093115.tif 000008
【図７】
2011093115.tif 000009
【図８】
2011093115.tif 000010
【図９】
2011093115.tif 000011
【図１０】
2011093115.tif 000012
【図１１】
2011093115.tif 000013
【図１２】
2011093115.tif 000014
【図１３】
2011093115.tif 000015
【図１４】
2011093115.tif 000016
【図１５】
2011093115.tif 000017
【図１６】
2011093115.tif 000018
【図１７】
2011093115.tif 000019
【図１８】
2011093115.tif 000020